(57)【要約】      （修正有）【課題】伸縮ホースに関し、特に多層構造の伸縮式耐摩ホースに関する。伸縮ホースの耐圧力を向上すること、布スリーブの摩損や擦り傷を低減したり砂や砂利や植物の刺などの異物の侵入を防止したりすることによって伸縮ホースの使用寿命を延長できること、伸縮ホースの内管が破れていても、最外層の耐摩保護層が一定の耐圧力があるため、ホース全体を依然として引き続き使用することができ、その使用寿命を延長できること、最外層の耐摩保護層が滑らかな表面を有するため、容易に洗浄できることを可能とする。【解決手段】伸縮可能な内管３０と、当該内管３０を内包する布スリーブ２０とを備える。布スリーブ２０の外側には、当該布スリーブ２０を覆う伸縮可能な耐摩保護層１０が設けられる。また、布スリーブ２０は一層又は多層構造の伸縮可能な布スリーブである。【選択図】図２
2019060492.tif 000002
【特許請求の範囲】
【請求項１】
伸縮可能な内管と当該内管を内包する布スリーブとを備えた多層構造の伸縮式耐摩ホースであって、
前記布スリーブの外側には、当該布スリーブを覆う伸縮可能な耐摩保護層が設けられ、
前記布スリーブは一層又は多層構造の伸縮可能な布スリーブである、
ことを特徴とする多層構造の伸縮式耐摩ホース。
【請求項２】
前記布スリーブは波状に形成され、その波谷が伸縮時に前記内管の外面において軸方向に摺動可能である、
ことを特徴とする請求項１に記載の多層構造の伸縮式耐摩ホース。
【請求項３】
前記耐摩保護層は前記布スリーブの伸縮に従って伸縮可能である、
ことを特徴とする請求項１に記載の多層構造の伸縮式耐摩ホース。
【請求項４】
前記耐摩保護層の内壁面には前記布スリーブの波峰がくっつけられている、
ことを特徴とする請求項２に記載の多層構造の伸縮式耐摩ホース。
【請求項５】
前記耐摩保護層の内壁面は前記布スリーブの外面に密着している、
ことを特徴とする請求項１に記載の多層構造の伸縮式耐摩ホース。
【請求項６】
更に、前記多層構造の伸縮式耐摩ホースの両端には管継手が接続されており、
前記内管、前記布スリーブ及び前記耐摩保護層の両端がそれぞれ前記管継手に固定されている、
ことを特徴とする請求項１に記載の多層構造の伸縮式耐摩ホース。
【請求項７】
前記内管は伸縮可能な材質であるラテックス、シリコーン、ＴＰＥ、ＴＰＲ、ＴＰＵ、ＴＰＸの一種又は二種以上で形成される、
ことを特徴とする請求項１に記載の多層構造の伸縮式耐摩ホース。
【請求項８】
前記布スリーブは、化学繊維糸、綿糸又は絹糸で編まれた波状又は直筒状の布スリーブである、
ことを特徴とする請求項１に記載の多層構造の伸縮式耐摩ホース。
【請求項９】
前記耐摩保護層は伸縮可能な材質であるプラスチック又は皮革で作られる、
ことを特徴とする請求項１〜８の何れか１項に記載の多層構造の伸縮式耐摩ホース。
【発明の詳細な説明】
【技術分野】
【０００１】
本発明は、伸縮ホースの技術分野に関し、特に、多層構造の伸縮式耐摩ホースに関する。
【背景技術】
【０００２】
一般家庭では、洗車したり庭園を灌漑したりする時にホースが必要である。従来、伸縮ホースはかなり普及されてきているが、普通の伸縮ホースの耐久性が低く、使用寿命が短い。その欠点としては、まず、最外層の布スリーブが使用中において摩損されやすいし、地面上の鋭い砂粒、植物の刺に突き破られて耐圧機能が失われると、内管が布スリーブの破裂口から膨らんで破れてしまうこと、次に、最外層の布スリーブが使用中において地面の鋭い砂粒、植物の刺に突き破られることにより、直接的に内管が突き破られて破裂されてしまうこと、また、布スリーブが地面で引っ張られて泥水やホコリが布スリーブにつきやすく、洗浄や収納が難しくなること、などが取り上げられる。
【発明の概要】
【発明が解決しようとする課題】
【０００３】
本発明は、耐摩性に優れ、使用寿命が長く、洗浄しやすい多層構造の伸縮式耐摩ホースを提供することを目的とする。
【課題を解決するための手段】
【０００４】
本発明の目的は以下のように実現されている。
【０００５】
本発明は、伸縮可能な内管と当該内管を内包する布スリーブとを備えた多層構造の伸縮式耐摩ホースであって、前記布スリーブの外側には、当該布スリーブを覆う伸縮可能な耐摩保護層が設けられ、前記布スリーブは一層又は多層構造の伸縮可能な布スリーブである。
【０００６】
前記布スリーブは波状に形成されることが可能で、波状の布スリーブはホースの軸方向に沿って波峰と波谷を形成し、ここで、波峰は耐摩保護層に向かう方向における最高点であり、波谷は内管に向かう方向における最低点である。波状の布スリーブが伸縮すると、布スリーブの波谷の、内管に向かう谷面は内管の表面において軸方向に摺動可能である。
【０００７】
前記耐摩保護層は布スリーブの伸縮に従って伸縮可能である。
【０００８】
布スリーブが波状に形成された場合、前記耐摩保護層の内壁面は布スリーブの波峰の、耐摩保護層に向かう峰面にくっつけられている。
【０００９】
前記耐摩保護層の内壁面は布スリーブの外面にくっつけられている。
【００１０】
前記多層構造の伸縮式耐摩ホースの両端には管継手が接続されており、前記内管と前記布スリーブと前記耐摩保護層の両端がそれぞれ前記管継手に固定されている。
【００１１】
前記内管は伸縮可能な材質であるラテックス、シリコーン、ＴＰＥ（Ｔｈｅｒｍｏｐｌａｓｔｉｃ  Ｅｌａｓｔｏｍｅｒ）、ＴＰＲ（Ｔｈｅｒｍｏｐｌａｓｔｉｃ Ｒｕｂｂｅｒ）、ＴＰＵ（Ｔｈｅｒｍｏｐｌａｓｔｉｃ ｐｏｌｙｕｒｅｔｈａｎｅ）、ＴＰＸ（Ｔｒａｎｓｐａｒｅｎｔ  Ｐｏｌｙｍｅｒ  Ｘ）の一種又は二種以上で作られる。
【００１２】
前記布スリーブは化学繊維糸、綿糸又は絹糸で編まれた波状又は直筒状の布スリーブである。
【００１３】
前記耐摩保護層は伸縮可能な材質であるプラスチック材又は皮革材で作られる。
【発明の効果】
【００１４】
本発明の従来技術に比べて、突出した有益な技術効果は以下のようになっている。
【００１５】
１、本発明は、布スリーブが耐摩保護層によって被覆されるため、布スリーブが引っ張られることによる摩損を効果的に防止することができる。それにより、布スリーブと内管が簡単には傷づけられ、突きやぶられることがなく、砂利や植物の刺が内管と布スリーブの間又は布スリーブの表面に侵入することを有効に防止でき、伸縮ホースの使用寿命を延ばせる。
【００１６】
２、本発明は、更に最外層に耐摩保護層が設けられ、そして、布スリーブを一層又は多層の構造とすることにより、伸縮ホース全体の耐圧力を大幅に向上させ、伸縮ホースの使用寿命を延ばせる。
【００１７】
３、本発明は、内管、布スリーブ及び耐摩保護層が水圧の変化に伴い同期して伸縮することができるため、これら三層の素材間の摩損を低減して使用寿命を延ばせる。
【００１８】
４、本発明は、最外層に耐摩保護層が設けられるため、内管がいかなる原因で破られた場合でも、管内の水が布スリーブを通って内管と耐摩保護層の間に新たな水流通路を形成することができるため、最外層の耐摩保護層が破られるまで継続的に使用することができる。本発明は、このような構成で伸縮ホースの使用寿命を大幅に延ばせる。
【００１９】
５．本発明は、布スリーブが一層又は多層構造の伸縮可能な波状又は直筒状の布スリーブであり、波状の布スリーブの波谷の外底面の面積が小さく形成されているため、内管の外面におおける軸方向の摺動摩擦力が小さくなり、内管に対して布スリーブの摩擦による損害を低減することができる。
【００２０】
６、本発明は、耐摩保護層が耐磨力に優れ、伸縮可能であるに加えて、滑らかな表面を有するため、泥水やホコリがつきにくい。たとえ少量の泥水やホコリがついた場合でも、簡単に洗浄でき、収納上、便利である。
【００２１】
７、本発明は、洗車、庭園の灌漑、家庭用の洗浄などの場合に幅広く適用される。
【図面の簡単な説明】
【００２２】
【図１】図１は本発明の横断面図である。
【図２】図２は本発明の軸方向断面図である。
【図３】図３は本発明における耐摩保護層の内壁面と布スリーブの外面とが密着した状態の軸方向断面図である。
【図４】図４は本発明における内管、布スリーブ及び耐摩保護層が直筒状に形成されて互いに密着した状態の軸方向断面図である。
【図５】図５は本発明の一実施例の構成を示す構造概略図であり、ここで、この伸縮ホースに水素水機能が追加される。
【図６】図６は図５に示された実施例における電解端子の構造概略図である。
【図７】図７は図６に示された電解端子における電極板の構造概略図である。
【図８】図８は図７に示された電極板のＡ‐Ａ線による断面図である。
【図９】図９は本発明における一実施形態の管継手の断面構造概略図である。
【図１０】図１０は本発明における更なる実施形態の管継手の断面構造概略図である。
【図１１】図１１は本発明における更なる実施形態の管継手の断面構造概略図である。
【発明を実施するための形態】
【００２３】
以下、図面を参照しながら、本発明をさらに詳しく説明する。
【００２４】
図１と図２には本発明に係る多層構造の伸縮式耐摩ホースの実施形態を概略的に示す。図１は多層構造の伸縮式耐摩ホースの横断面図で、図２は多層構造の伸縮式耐摩ホースの軸方向断面図である。図に示されるように、この多層構造の伸縮式耐摩ホースは伸縮可能な内管３０と、この内管３０を内包する布スリーブ２０とを備え、布スリーブ２０の外側に伸縮可能な耐摩保護層１０が包まれ、布スリーブ２０は一層、二層、三層、四層又はこれ以上の多層構造の伸縮可能な波状の布スリーブ２０であり、耐摩保護層１０の内壁面１１は布スリーブ２０波峰の外面２１にくっつけられており、布スリーブ２０が伸縮すると、布スリーブ２０の波谷の外底面２２は内管３０の外面３１において軸方向に摺動することができる。
【００２５】
耐摩保護層１０と布スリーブ２０の両方とも伸縮可能であるため、水圧の働きにより、耐摩保護層１０は布スリーブ２０の伸縮に従って伸縮する。しかし、布スリーブ２０は波状であるため、その伸展距離は伸展後の全長に関連するので、内管３０と耐摩保護層１０は布スリーブ２０の伸長とともに同期に伸長し、布スリーブ２０の全長に制限される。
【００２６】
そのうち、布スリーブ２０の層はすべて一体式構造に編まれ、単独で編まれた単層構造により互いに嵌め込んで形成されている。布スリーブ２０の縦横で編まれた経緯線又は交差で編まれたあや織線は弾性がない為、布スリーブ２０の最大内径及び最大長さは固定値であり、従って、伸縮ホース全体の耐圧力が向上し、内管３０は大き過ぎる圧力で張り裂けることを防止する。
【００２７】
図３は多層構造の伸縮式耐摩ホースの更なる実施の形態の構成を示す。図３を参照して、当実施例における耐摩保護層１０の内壁面１１と布スリーブ２０の外面２３とが密着し、耐摩保護層１０と布スリーブ２０とが波状とされた伸縮ホースになっている。
【００２８】
図４は内管、布スリーブ及び耐摩保護層が直筒状とされて互いに密着した多層構造の伸縮式耐摩ホースの軸方向断面図である。このように、内管、布スリーブ、耐摩損層はいずれも同期に伸縮し、各層の管間の相互摩擦を有効に根絶することができる。
【００２９】
本発明の好ましい実施例において、前記多層構造の伸縮式耐摩ホースの両端に管継手を接続し、内管３０、布スリーブ２０、耐摩保護層１０の両端はそれぞれ管継手に固定されている。前記内管３０は伸縮可能な材質であるラテックス、シリコーン、ＴＰＥ、ＴＰＲ、ＴＰＵ、ＴＰＸ材の一種類又は二種類以上で作製されるものである。前記布スリーブ２０は化学繊維糸、綿糸又は絹糸で編まれた波状又は直筒状の布スリーブである。前記耐摩保護層１０はプラスチック材又は革製材で作製されるものである。
【００３０】
好ましい実施例において、多層構造の伸縮式耐摩ホースは水素水ホースとして形成することができる。具体的には、管継手と、管継手に接続される内管３０、布スリーブ２０、耐摩保護層１０の端部との間に電解端子３と電解板４を設置してもよい。
【００３１】
図５と図６は一実施形態の水素水用多層構造の伸縮式耐摩ホースを示す。図５に示されるように、本実施例において、電解端子３の数は三つであり、三つの電解端子３は布スリーブ２０に均一に分布されており、例えば下記のように配列できる。布スリーブ２０の左端、内管３０、及び耐摩保護層１０の左端は一緒に固定され、一番目の電解端子３に装着され、具体的な装着方式はクリップ構造で電解端子３に固定されてもよい。布スリーブ２０の右端、内管３０及び耐摩保護層１０の右端は一緒に固定され、二番目の電解端子３に装着され、布スリーブ２０の右端、内管３０の右端及び耐摩保護層１０の右端もクリップ構造で二番目の電解端子３に固定されてもよい。ホースの中間位置にも電解端子３が装着され（図示せず）、ホースの中間に位置する電解端子は耐摩保護層１０、布スリーブ２０及び内管３０を中部から半分にし、すなわち、二本の耐摩保護層１０、布スリーブ２０及び内管３０があることに相当し、耐摩保護層１０、布スリーブ２０及び内管３０の両端はそれぞれ三番目の電解端子３に装着されている。図５に示されるように、内管３０における水は電解端子３を通過することができる。ほかの実施例において、電解端子３の数は二つであってもよく、それぞれがホースの両端に装着される。ほかの実施例において、電解端子３の数、配列はホースの長さ、灌漑要求などによって変更されてもよい。
【００３２】
図６に示されるように、電解端子３に電極板４が装着され、電極板４は内管３０における水を電解することができる。本実施例において、図６に示されるように、電極板４は締付板４４の内孔に固定され、締付板４４は電解端子３の内腔に圧接され締め付けられ、締付板４４と電解端子３の水流通路は垂直に配置され、それによって電極板４の水に対する電解効率を向上することができる。ほかの実施例において、電極板４を電解端子３の内腔に直接装着してもよく、電極板４と電解端子３の流水通路は垂直に配置されてもよい。
【００３３】
図６に示されるように、締付板４４には陽極コネクタ４５と陰極コネクタ４６が設けられ、陽極コネクタ４５と陰極コネクタ４６が電極板４に接続され、陽極コネクタ４５と陰極コネクタ４６からそれぞれ一本の防水導線が引き出され、陽極コネクタ４５と陰極コネクタ４６は防水導線を介して電源に接続される（外部電源でもよく、内部電源でもよい）。
【００３４】
図７と図８に示されるように、電極板４は平行に配置された陰極板４１と陽極板４２とを含み、陰極板４１と陽極板４２の間の隙間は絶縁材質で遮られて、陽極コネクタ４５と陽極板４２が電気接続されており、陰極コネクタ４６と陰極板４１が電気接続されている。陰極板４１は水におけるＨ＋を吸引して水素を生成し、生成された水素は内管３０における水に入って水素水を形成し、水素水は花卉植物の細胞経路に入りやすく、新陳代謝に参与し、花卉植物の内因性ホルモンの合成を調整することができ、花卉植物の生長を促し、土壌を改良し、水素水の殺菌効果は一部の農薬に代わるとともに、花卉植物の病虫害抵抗力を高め、陽極板４２で生成された酸素は水中の酸素含有量を高め、植物が夜間に行う呼吸作用に貢献する。
【００３５】
図７と図８に示されるように、陰極板４１、陽極板４２のいずれにおいても複数の孔４３が形成されており、孔４３は内管３０における水の通過をさせて、且つ陰極板４１、陽極板４２は水を電解する。
【００３６】
図６に示されるように、本実施例において、電解端子３の内腔の横断面は円形を呈し、締付板４４も円形を呈し、締付板４４の外径の寸法は電解端子３の内腔の内径の寸法とマッチングし、締付板４４は電解端子３の内腔に締め付けられる。ほかの実施例において、電解端子３の内腔の横断面は四角形、楕円形等を呈してもよく、締付板４４の形状、寸法は電解端子３の内腔の寸法とマッチングすればよく、流れる水が全部陰極板４１と陰極板４２上の孔４３を経過することを確保し、電極板４の水に対する電解効率を向上することができる。ほかの実施例において、陰極板４１、陽極板４２はほかの形に呈してもよく、例えば四角形の場合、対応する締付板４４の内孔も四角形を呈して、陰極板４１、陽極板４２が締付板４４の内孔にちょうど締め付けられることを確保できればよい。
【００３７】
図５に示されるように、本実施例において、左側の電解端子３は一つの管継手５に設けられ（ネジ接続、締りばめ接続等によってもよい）、右側の電解端子３も一つの管継手５に設けられ（ネジ接続、締りばめ接続等によってもよい）、管継手５によってホースと蛇口及び噴水ノズルとの迅速な接続を実現することができ、使いやすく、素早く実施でき、省力である。ほかの実施例において、左側の電解端子３は一つの管継手５に設けられ、右の電解端子３は噴水ノズルに直接固定されることができ（ネジ接続、締りばめ接続等によってもよい）、使用時、管継手５を蛇口に直接接続すればよい。
【００３８】
本実施例において、電解端子３の一端はクランプ構造で耐摩保護層１０、布スリーブ２０と内管３０に接続され、電解端子３の他端には雌ネジ又は雄ネジに成型され、電解端子３はネジ構造で管継手５と接合される。ほかの実施例において、電解端子３は締りばめ接続の構造で管継手５と接合されてもよい。
【００３９】
図５に示されるように、耐摩保護層１０の左端、布スリーブ２０の左端及び内管３０の左端は電解端子３を介して管継手５に接続され、耐摩保護層１０の右端、布スリーブ２０の右端及び内管３０の右端は電解端子３を介してもう一つの管継手５に接続される。
【００４０】
また、水素水散水ホースには電源モジュール６を備えてもよい。図５に示されるように、本実施例において、電源モジュール６は電解端子３に装着し、電源モジュール６は防水導線を介して陽極コネクタ４５と陰極コネクタ４６とに接続され、電源モジュール６は陰極板４１と陽極板４２に電解電流を提供する。
【００４１】
図５に示されるように、本実施例において、電源モジュール６は充電電池を採用し、水素水で花に水をやる時、外から電源ケーブルを接続する必要がなく、非常に便利である。電解端子３には充電差し込み口が設けられ、水やりしていない時には、充電差し込み口によってフル充電すればよい。充電電池には電極板４の電解と電解停止を制御するような作業スイッチがある。ほかの実施例において、電源モジュール６も電解端子３の内部に防水されて集積されることができる。ほかの実施例において、電極板４は外から電源ケーブルと直接接続されてもよく、電解端子３に電源ケーブル差し込みコネクタを取り付けてもよい。使用者は水を電解する必要とする時、電源ケーブルの一端を電解端子３の電源ケーブル差し込み口に直接接続し、電源ケーブルのプラグ部分は外部電源差し込み口に接続し、電極板４に電気エネルギーを提供する。花に水をやる人は水を電解する必要としない時、電源ケーブルを設けなければよい。
【００４２】
図５に示されるように、本発明の水素水ホースで花に水をやる時、一つの管継手５を蛇口に取り付け、ノズルをもう一つの管継手５に取り付け、蛇口を開けるとともに電極板４に電気を付け（電解端子３のスイッチを押せばよい）、電解端子３における陰極板４１と陽極板４２は内管３０における水を電解することができ、陰極板４１は水におけるＨ＋を吸収して水素を生成し、生成された水素は内管３０における水に入って水素水になり、水素水は花卉植物の細胞経路に入りやすく、新陳代謝に参与し、花卉植物の内因性ホルモンの合成を調整することができ、花卉植物の生長を促し、土壌を改良し、水素水の殺菌効果は一部の農薬に代わるとともに、花卉植物の病虫害抵抗力を高め、陰極板４２で生成された酸素は水中の酸素含有量を高め、植物が夜間に行う呼吸作用に貢献する。花に水をやる人は、必要に応じて電源モジュール６を消し、水を電解しなくてもよい。
【００４３】
具体的な実施において、前記管継手は従来の管継手を選択して使用することができる。本発明の好ましい実施例として、選用された管継手はインテリジェント管継手も可能である。図９はインテリジェント管継手の断面構造を示す。図９に示されるように、この管継手は、中心孔１００を含む本体２００と、本体２００の外部に包んでいるケース５００と、本体２００の下部にホースが設けられる差込接続部７００と、を備えており、中心孔１００の最上端は拡孔であり、ノズル又は蛇口の差込が便利になる。そのうち、本体が拡孔を介してノズル又は蛇口に接続する方式及び差込接続部７００とホースの接続方式は全部従来技術を参照して実現されることができ、本発明に係る実施例はこれに制限されない。本発明に係る実施例で提供されるインテリジェント管継手は、灌漑の仕事の楽しさを増やし、ユーザ体験を向上するとともに、データ検出を通じてユーザに付加価値サービスを提供することができ、これによって例えばホースの寿命を補助的に向上させたり、合理的な注水量と水流水圧を提供したりするなどの効果を実現することができる。この目的を達成するため、本発明に係る実施において最も基本の機能構造だけが提供され、当業者であれば、具体的な実施例において、管継手は、この基本構造（すなわち、制御モジュールを装着するための格納キャビテを備える）を備えるいかなる構造であってもよいので、本発明に係る実施例は管継手構造に対する制限とみなされず、本発明に係る実施例におけるインテリジェントモジュールを管継手に取り付け、管継手を知能化させることができる様々な構造を有するほかのいかなる管継手であっても、本発明の構想に基づいて改良されることとして見なすことを理解すべきである。
【００４４】
本発明の目的を実現するため、本発明の実施例としてまずは本体２００とケース５００の間に格納キャビテを設置し、それとともに格納キャビテに制御モジュールと電源モジュールを設置し、制御モジュールは電源モジュールと接続され、電源モジュールは制御モジュールに独立した電源を提供する（ほかの実施例において電源モジュールを設置せず、電源ケーブルによって外部電源と接続して電力を供給してもよい）。その中、格納キャビテは、ケース５００を本体２００に包んで両者の間に形成される空間であってもよく、ケース５００又は本体２００の側壁に設けられる凹部であってもよい。前者の場合、制御モジュールと電源モジュールを本体２００とケース５００の壁側に直接設置することができ（すなわち、設置後に、制御モジュールと電源モジュールは本体又はケースの側壁より突出し、格納キャビテに位置する）、後者の場合、制御モジュールと電源モジュールを凹部に設置する（この時、制御モジュールと電源モジュールは本体とケースの間ではなく凹部の中に位置し、凹部の開口より突出しないことが望ましく、それにより、本体とケースとの間に相対運動が存在する可能性がある場合、制御モジュールと電源モジュールに対する摩擦を避けることができる）。図９に示されるように、当該好ましい実施例において、格納キャビテは本体２００の凹部２０２に設置され、制御モジュール５０と電源モジュール６０は凹部２０２の側壁に設置される。図９に示されるように、本体２００の内面で（すなわち、中心孔１００に向ける側壁に）、且つ凹部２０２における制御モジュール５０に対応する位置において、水流速度を検出するための水流センサー７０がさらに設置され、水流センサー７０と制御モジュール５０が接続されている。その中、制御モジュール５０には音声再生ユニットが設置され、制御モジュール５０には音声ファイルが記憶されている。水流センサー７０は水流速度信号を検出して制御モジュール５０に出力し、制御モジュール５０は受信された水流速度信号により判断を行い、もし水流速度信号がゼロではなければ、管継手は使用されていることを表し、その時、制御モジュール５０が音声制御信号（例えば音声信号であってもよい）を音声再生ユニットに出力したり、音声ファイルを音声再生ユニットに直接出力したりして、音声再生ユニットが音声ファイル中の内容を再生して、管継手を使用する時に、音楽を自動的に再生するできる機能を実現する。制御モジュール５０が受信した水流速度信号がゼロになった場合、使用が完了したことを表す。この時、制御モジュール５０は再生停止の制御信号（例えば電気信号であってもよい）を音声再生ユニットに出力し、音声再生ユニットは再生停止の制御信号により音声ファイルの再生を停止する。また、具体的な実施例において、当該凹部２０２にカバーを配置することで、より優れた防水機能を実現することができる。
【００４５】
また、この実施例における制御モジュール５０、音声再生ユニット及び電源モジュール６０は全部従来の製品で実現されることができ、例えば、制御モジュールはマイクロコントローラ又はＭＣＵチップなどで実現されることができ、音声再生ユニットはスピーカーで実現されることができ、電源モジュールは電池等で実現されることができる。好ましい実施例において、ケース５００と本体２００の間は取り外し可能な接続方式を通じて包まれており、これにより制御モジュール、音声再生ユニット及び電源モジュールのメンテナンスが便利になり、当該取り外し可能な接続方式について、例えば、図９に示されるように、本体２００の外側壁上に突出部２０１を形成し、ケース５００下端には阻止部５０１を設置し、こうすれば、ケース５００が本体２００に包まれて、突出部２０１と阻止部５０１との連携で、本体２００と固定される。好ましい実施例において、阻止部５０１は弾性材で作製されてもよく、よって、装着と取り外しが便利になる。
【００４６】
ここで、本実施例において、水流センサー７０は本体２００の側壁上に設置されたトレース孔を介して制御モジュール５０に接続されてもよく、トレース孔は封止リングで封止されてもよく、それで良い封止防水効果を果たせる。
【００４７】
図１０は更なる実施形態のインテリジェントホース継手を示されており、その実施例において、凹部２０２は本体２００の側壁に設置されるとともに凹部２０２の開口にはモニター８０が取り付けられ（例えば、支持構造４００によってモニターを取り付け、凹部とモニターとの間に形成されている空間が十分大きい）、モニター８０と制御モジュール５０が接続される。相応に、モニターがユーザに見えるようにするために、ケース５００のモニター８と対応する部分にディスプレー窓５０２が設置され、このディスプレー窓５０２は透明材で作製され、これでケースのディスプレー窓５０２を通じてモニター８０に表示される情報を見ることができる。このようなデザインの構造によれば、モニターの装着が便利になるだけではなく、端子内の線路構造が簡単になり、モニター８０が制御モジュール５０と簡単に接続され、ほかの配線構造を別途備える必要がなく、そしてケース５００の保護を通じて、モニターが壊れにくくなる。ここで、制御モジュール５０中に水流センサー７０に位置する中心孔断面の断面面積（水流センサー７０は本体２００の側壁に設置されるため、相応に中心孔１００の円周に位置し、中心孔１００に位置する平面が、センサー７０に位置する中心孔断面である）が記憶され、制御モジュール５０は水流センサー７０の出力した水流速度信号を受信して水流速度信号がゼロから非ゼロに変換すると判断した場合、開始時間Ｔ１を記録し、受信したリアルタイムの水流速度信号を記憶し、水流速度信号が非ゼロからゼロに変換すると判断した場合、終了時間Ｔ２を記録し、記憶された当該時間帯におけるリアルタイムの水流速度信号を取得して水流量を計算する。すなわち、制御モジュール５０は当該時間帯における水流速度に対して平均値計算を行い、すなわち、当該時間帯における水流速度の平均値を算出し、水流速度の平均値、開始時間Ｔ１、終了時間Ｔ２及び水流センサー７０に位置する中心孔断面の断面面積などによって、当該時間帯において作業（例えば、花に水をやる）する時、使用された用水量を計算し、当該用水量をモニター８０に出力して表示する。計算方法は、式：用水量＝水流速度＊断面面積＊（Ｔ２−Ｔ１）で実現される。用水量の計算と表示によって、ユーザが今回作業で消耗された水量を直観的に見え、エネルギー消耗を把握するだけではなく、実際の需要により用水量を抑えることができ、例えば花に水をやる仕事において、天気とそれぞれの花が水量に対する需要により、定量的に灌漑を行い、植物又は花卉の生長に役立つ効果を果たせる。好ましい実施例において、用水量の計算と表示はリアルタイムに行われてもよく、すなわち、新しい水流速度信号を取得すると、計算と出力表示が一回行われる。例えば、制御モジュール５０が、受信された最新の水流速度信号が常に非ゼロであると判断したとき、リアルタイムの終了時間Ｔ２を記録し、用水量の計算と出力表示を行い、これでユーザは需要応じて水を使用することが便利になる。なお、ほかの好ましい実施例において、計算結果の精度を向上するため、設置されたセンサーは複数であってもよく、例えば複数の水流センサーが同じ断面に均一に分布されるとともに全部制御モジュールと接続され、制御モジュールは複数の水流センサーに検出された情報により平均値計算を行い、複数の水流センサーより検出された平均の水流速度を取得し、その平均流水速度を、用水量を計算する基とする。つまり、計算を行う時に、複数の水流センサーの平均値により開始時間と終了時間の判断を行い、時間計測の時間帯における複数の記録値（この値は複数のセンサーの平均値である）の平均値（すなわち、二回の平均を行って、一回は複数のセンサーが計測したデータの平均値であり、もう一回は時間計測の時間帯におけるすべての記録値の平均値である）により用水量の計算をする。複数の水流センサーが設置された実施例において、音楽再生に対する制御モジュールの制御は、平均流水速度に対する判断に基づいてもよく、つまり、平均流水速度が非ゼロである時に、音声ファイルを音声再生ユニットに出力する。複数の水流センサーが設置された時、凹部２０２は本体２００の外円周に沿う円環状の凹部として設置されてもよく、複数の水流センサーは円環状の凹部の内側壁（中心孔に近い側壁）に沿って均一に配布されることができる。また、制御モジュール５０の接続はセンサーの対応位置にトレース孔を形成し、防水導線を凹部の制御モジュール５０と接触する円周面に沿って引き延ばして配布し、制御モジュール５０と接続される。ここで、全部の配線孔には封止リングを設置する。
【００４８】
ほかの好ましい実施例において、作業状態であるかどうかの判断の正確性を向上するために、制御モジュールに所定閾値を記憶し、制御モジュールは水流速信号が閾値を超えて時間計測するかどうかを判断し、水流速度信号が閾値を超える場合に作業開始と判断し、時間計測の開始時間Ｔ１を記録し、それから、常に閾値より大きいかどうかを判断し、時間計測の終了時間Ｔ２を取得する。
【００４９】
説明すべきなのは使用された水流センサー７０で検出されたのは水流速度信号である実施例において、直接制御モジュール５０によって受信された水流速度信号を判断して前記機能を実現することができる。しかも、使用された水流センサーで検出された信号が水流速度信号でない場合、制御モジュール５０はまず水流センサーで検出された信号を変換し、それを水流速度信号に変更し、それから前記判断を行う。ここで、水流センサーにより検出された信号を水流速度に変換する方法は従来技術を参照して行ってもよく、本発明の実施例はこれについては省略する。
【００５０】
図１１は、本発明に係る更なる実施形態のインテリジェントホース継手を示す。図１１に示されるように、この実施例において、本体２００の中心孔１００に近い側壁に圧力センサー９０がさらに設置され、この圧力センサー９０は制御モジュール５０と接続され、水圧を検出して制御モジュール５０に出力することに用いられ、制御モジュール５０は水圧をモニター８０に出力して表示する。ここで、圧力センサー９０の設置方式は水流センサー７０の設置方式と似てもよく、例えば、複数で均一に凹部２０２の側壁に配置され、制御モジュール５０は複数の圧力センサー９０により検出された圧力の平均値を計算してリアルタイムの水圧出力を取得する。音声ファイルの再生に対する制御モジュール５０の制御は、圧力センサー９０から出力された圧力信号に基づいてもよく、すなわち、その圧力信号が非ゼロ又はある程度の閾値（制御モジュールにプリセットして記憶されてもよい）を超える時、音声ファイルを得て音声再生ユニットに出力して音声再生を行う。さらに、音声再生に対する制御は水流センサー７０より出力された水流信号と圧力センサー９０より出力された圧力信号をあわせて判断することができ、つまり、両者とも一定条件を満たしていないと再生できなく、こうすると作業時だけ音声ファイルは再生する精度を確保することができる。
【００５１】
本発明の実施例に係るインテリジェント管継手は異なるホースに適用されることができ、いかなるホースでも、本発明の実施例に係る管継手を接続すれば、相応するホースのインテリジェント化を実現することができる。具体的な実施例として、本発明の実施例が提供した具体的な応用対象は前記耐摩損多層伸縮可能なホースであり、こうすると、花に水をやる時に、水かけながら、音楽を放送することを実現するとともに、水圧、用水量と人体エネルギー消耗の統計と表示を実現することができ、ユーザが水圧、用水量、人体エネルギー消耗の実際の需要により、水流、水量の調節をしたり、自分の動きを手配したりすることができる。また、このような伸縮可能なホースは、弾性内管が水圧で伸縮し、内管は圧力を受けると非常に薄くなるので、水圧の監視を通じて、必要により蛇口を調整することで水圧が小さすぎて弾性内管の伸縮力不足になったり、水圧が大きすぎて弾性内管が破れやすくなったりすることが避けられる。
【００５２】
以上は本発明の一部の実施形態にすぎない。当業者にとっては、本発明の創造構想から脱逸しない限り、若干の変形と改良が可能であり、これらは全部本発明の保護範囲に入る。
【図１】
2019060492.tif 000003
【図２】
2019060492.tif 000004
【図３】
2019060492.tif 000005
【図４】
2019060492.tif 000006
【図５】
2019060492.tif 000007
【図６】
2019060492.tif 000008
【図７】
2019060492.tif 000009
【図８】
2019060492.tif 000010
【図９】
2019060492.tif 000011
【図１０】
2019060492.tif 000012
【図１１】
2019060492.tif 000013